(57)【特許請求の範囲】
【請求項１】
加圧状態で内容液が充填された容器本体と、その内容液をエアゾールとして噴出するよう容器本体に取り付けられた中空ステムと、該中空ステムから噴出されたエアゾールをその表面に付着させるボールと、このボールの一部分を外部に露出させた状態で回転可能に保持するよう容器本体に取り付けられたホルダーと、前記ステムに係合し、該ボールを前記ホルダーとの協働下で弾性的に支持する受座とを具え、前記ボールの露出部分を前記ホルダーの内方に向けて押圧することにより前記ステムから噴出させたエアゾールを、ボール表面に付着させると共に該ボールを転動させて対象面に塗布するようにしたエアゾール容器であって、
前記受座は、前記ステムにおけるエアゾール噴出孔領域を除き、前記ステムを前記ボールより隔離させる弾性隔壁を含むことを特徴とするエアゾール容器。
【請求項２】
請求項１において、前記弾性隔壁が、前記エアゾール噴出孔領域に隣接する領域でアーチ状の薄肉部分を有することを特徴とするエアゾール容器。
【請求項３】
請求項１において、前記弾性隔壁が、前記エアゾール噴出孔領域に隣接する領域でじゃばら状の薄肉部分を有することを特徴とするエアゾール容器。
【請求項４】
請求項１乃至３のいずれか一項において、前記弾性隔壁が、前記ボールとの対向面にエアゾールを補給するための通路を有することを特徴とするエアゾール容器。
【請求項５】
請求項１乃至４のいずれか一項において、前記ホルダーが、前記ボールに対して実質的に線接触し得る形状に形成されていることを特徴とするエアゾール容器。
【請求項６】
請求項１乃至５のいずれか一項において、前記ホルダーが、前記受座と一体に形成されていることを特徴とするエアゾール容器。
【請求項７】
請求項１乃至５のいずれか一項において、前記ホルダーが、前記受座と別体として形成されていることを特徴とするエアゾール容器。
【発明の詳細な説明】
【０００１】
【技術分野】
本発明は、例えば、制汗剤や育毛剤などの塗布剤に用いられたときに皮膚に対するマッサージ効果が得られると共に不用意な液ダレを防止するエアゾール容器に関し、特に、噴出されたエアゾールをボールの表面に付着させてそのボールを転動し易くさせることにより、対象面に効果的に塗布する構成としたエアゾール容器に関するものである。
【０００２】
【従来の技術】
この種のエアゾール容器は、例えば、実公平７−１８６２６号公報に開示されている。このエアゾール容器は、図５に示すように、加圧状態で内容液が充填された容器本体１０と、その内容液をエアゾールとして噴出するよう容器本体１０に取り付けられた中空ステム２０と、この中空ステム２０から噴出されたエアゾールをその表面に付着させるボール３０と、このボール３０の一部分を外部に露出させた状態で回転可能に保持するよう容器本体１０に取り付けられたホルダー４０と、前記ステム２０に係合し、このボール３０をホルダー４０との協働下で弾性的に支持される弁体５０とを具える。
【０００３】
ホルダー４０は、その上部の受面４１でボール３０を受け、このボール受面４１とボール３０との間に注出通路４２を形成する。またホルダー４０の下部には、弁座５１が中空ステム２０と一体に取り付けられ、その内部に中空ステム２０に連通する噴出路５２が形成されている。また、弁体５０は、噴出路５２に具えたピストンスプリング５３を介して弾性的に支持され、弁体５０は、通常、ホルダー４０の内壁４３を押圧し、弁座５１に形成された噴出路５２と、ボール３０とホルダー４０との間に形成された注出通路４２とを遮断している。
【０００４】
これにより、上記エアゾール容器は以下の如く作用する。
【０００５】
使用に際して、ボール３０の露出部分が対象面に接触する際、ボール３０がホルダー４０の内方に向けて押圧されることにより、弁体５０がピストンスプリング５３に抗してホルダー内壁４３から離れ、噴出路５２と注出通路４２との間を開放する。このとき、中空ステム２０が噴出路５２を介して注出通路４２内にエアゾールを噴出し、このエアゾールをボール３０の表面に付着させると共にボール３０を転動させて対象面に塗布する。
【０００６】
上記エアゾール容器によれば、皮膚に対する所要のマッサージ効果がボール３０により得られる。
【０００７】
しかしながら、上記従来技術には、以下のような問題がある。先ず、ボール３０は、弁体５０を介してピストンスプリング５３で支持されているものの、ボール３０の上下運動が剛性を有するホルダー４０の受面４１で規制されているため、ボール３０の動きが制約され、マッサージ効果が充分に発揮できにくい面がある。
【０００８】
また、ピストンスプリング５３は、金属材料製とするのが一般的であるため、耐久性などの面から、容器本体に充填された内容物に対する耐薬品性を考慮しなければならないという不都合がある。他方、近年重視されている環境問題を考慮して、容器を構成する各部品には廃棄が容易であって環境に好ましくない負荷を与えないものであることが望ましいところ、ピストンスプリング５３が金属材料製である場合には、通常はプラスチック成形品であるボール３０、ホルダー４０、弁体５０等との分別収集が必要となる。そして、このような分別作業が一般に煩雑であるため、必ずしも履行されない場合があることは言うまでもない。
【０００９】
【発明が解決しようとする課題】
本発明は、上述した問題点を解消するためになされたものであって、耐久性を向上させつつ、使用後の廃棄処理が容易で、且つ、より快適なマッサージ効果が得られると共に簡易な構成で不用意な液ダレを防止するエアゾール容器を提供することを目的とする。
【００１０】
【課題を解決するための手段】
この課題を解決するため、本発明による請求項１に係るエアゾール容器は、加圧状態で内容液が充填された容器本体と、その内容液をエアゾールとして噴出するよう容器本体に取り付けられた中空ステムと、該中空ステムから噴出されたエアゾールをその表面に付着させるボールと、このボールの一部分を外部に露出させた状態で回転可能に保持するよう容器本体に取り付けられたホルダーと、前記ステムに係合し、該ボールを前記ホルダーとの協働下で弾性的に支持する受座とを具え、前記ボールの露出部分を前記ホルダーの内方に向けて押圧することにより前記ステムから噴出させたエアゾールを、ボール表面に付着させると共に該ボールを転動し易くさせて対象面に効果的に塗布するようにしたエアゾール容器であって、前記受座は、前記ステムにおけるエアゾール噴出孔領域を除き、前記ステムを前記ボールより隔離させる弾性隔壁を含むことを特徴とするものである。
【００１１】
この場合、前記ボールの露出部分が対象面に接触する際、前記ボールが前記ホルダーの内方に向けて押圧されることにより、前記中空ステムが前記弾性隔壁のエアゾール噴出孔からエアゾールを噴出し、このエアゾールを前記ボールの表面に付着させると共に該ボールを転動させて対象面に塗布する。
【００１２】
つまり、本発明のエアゾール容器は、前記弾性隔壁が、その上部の受面で前記ボールを受け、また、前記弾性隔壁の下部は前記中空ステムが係合して前記ボールを前記ホルダーとの協働下で弾性的に支持するから、前記ボールの上下運動が大きく確保されて、より快適なマッサージ効果が得られると共にステムとボールとの間に存在するバラツキを吸収し、不用意な液ダレを防止する効果が得られる。また、金属製のピストンスプリングなどを用いる必要がないから、容器本体に充填された内容物に対する耐薬品性が向上し、エアゾール容器の耐久性が向上する。加えて、容器を構成する部品を分別する必要がないから、エアゾール容器を使用した後の廃棄処理が容易である。
【００１３】
従って、第１発明によれば、耐久性を向上させつつ、使用後の廃棄処理が容易で、且つ、より快適なマッサージ効果が得られると共に簡易な構成で不用意な液ダレを防止することが可能となる。
【００１４】
【実施の形態】
本発明の好適な実施形態においては、前記弾性隔壁が、エアゾール噴出孔の領域に隣接する領域でアーチ状の薄肉部分を有することが好ましい。この場合、簡単な構造から効率的に弾性力を得ることができる。
【００１５】
また他の実施形態としては、前記弾性隔壁が、前記エアゾール噴出孔領域に隣接する領域でじゃばら状の薄肉部分を有することが好ましい。この場合、大きな弾性力を効率的に得ることができる。
【００１６】
さらに、これらの実施形態においては、前記弾性隔壁が、前記ボールとの対向面にエアゾールを補給するための通路を有することが好ましい。この場合、中空ステムから噴出させたエアゾールを前記ボールの表面にまんべんなく供給することができる。
【００１７】
また、これらの実施形態において、前記ホルダーは、前記ボールに対して実質的に線接触し得る形状に形成されていることが好ましい。この場合、前記ボールおよび前記ホルダー間からの液ダレを確実に防止することができる。
【００１８】
加えて、これらの実施形態においては、前記ホルダーが前記受座と一体に形成されていることが好ましい。この場合、部品点数が削減されて低コスト化を図ることができる。
【００１９】
また、他の実施形態としては、前記ホルダーが前記受座と別体に形成されていることが好ましい。この場合、前記受座に要求される弾性支持力を発現させるために、この受座の材料をホルダーの材料に関わりなく、より広い範囲に選択することができる。
【００２０】
【実施例】
以下、本発明の実施例を、添付図面に基づき詳細に説明する。
【００２１】
図１は、本発明の第１実施例に係る液体容器の断面図である。
【００２２】
図１に示す如く、第1実施例のエアゾール容器は、加圧状態で内容液が充填された容器本体１１０と、その内容液をエアゾールとして噴出するよう容器本体１１０に取り付けられた中空ステム１２０と、該中空ステム１２０から噴出されたエアゾールをその表面に付着させるボール１３０と、このボール１３０の一部分を外部に露出させた状態で回転可能に保持するよう容器本体１１０に取り付けられたホルダー１４０と、中空ステム１２０に係合し該ボール１３０をホルダー１４０との協働下で弾性的に支持する受座１５０とを具え、ボール１３０の露出部分をホルダー１４０の内方に向けて押圧することにより中空ステム１２０から噴出させたエアゾールを、ボール１３０の表面に付着させると共に該ボール１３０を転動させて対象面に塗布するようにしたエアゾール容器である。なお、符号１６０は、ボール１３０の露出部分を保護するためにホルダー１４０に取り付けられたキャップであって、このキャップ１６０は第１実施例にのみ示し、これ以後の実施例での図説は省略する。
【００２３】
受座１５０は、その外側面に外向き凸部を有し、下端にはフランジ部を有する。受座１５０とホルダー１４０との取り付けは、ホルダー１４０の内側面に設けた２つの内向き凸部間に、受座１５０の上端と前記外向き凸部とをスナップ嵌合させると共に、ホルダー１４０の内側面に設けた段部に受座１５０の前記フランジ部を係合させることにより行う。なお、ホルダー１４０は、その下端付近に設けた内向き凸部が容器本体１１０に嵌合することにより容器本体１１０に取り付けられる。
【００２４】
また、受座１５０は、中空ステム１２０におけるエアゾール噴出孔１５０ａの領域を除き、中空ステム１２０をボール１３０より隔離させる弾性隔壁１５０ｗを含むものである。弾性隔壁１５０ｗは、その上面に複数の突起１５０ｐを一体に有する。
【００２５】
ここで、第１実施例の作用を説明する。
【００２６】
本実施例では、ボール１３０の露出部分が対象面に接触する際、ボール１３０がホルダー１４０の内方に向けて押圧されることにより、中空ステム１２０が弾性隔壁１５０ｗのエアゾール噴出孔１５０ａからエアゾールを噴出し、このエアゾールをボール１３０の表面に付着させると共に該ボール１３０を転動させて対象面に塗布する。
【００２７】
つまり、本発明のエアゾール容器は、弾性隔壁１５０ｗが、その上部の受面１５０ｗfおよび突起１５０ｐとでボール１３０を受け、また、弾性隔壁１５０ｗの下部は中空ステム１２０が係合してボール１３０をホルダー１４０との協働下で弾性的に支持するから、ボール１３０の上下運動が大きく確保されて、より快適なマッサージ効果が得られると共に簡易な構成で不用意な液ダレを防止する効果が得られる。特に、突起１５０ｐによれば、弾性隔壁１５０ｗの部分や中空ステム１２０におけるバラツキをより確実に吸収することができる。
【００２８】
また、本実施例の場合、受座１５０がボール１３０をホルダー１４０との協働下で弾性的に支持し、金属製のピストンスプリングなどを用いる必要がないから、容器本体１１０に充填された内容物に対する耐薬品性が向上し、エアゾール容器の耐久性が向上する。加えて、容器を構成する部品を分別する必要がないから、エアゾール容器を使用した後の廃棄処理が容易である。
【００２９】
従って、第１の実施例によれば、耐久性を向上させつつ、使用後の廃棄処理が容易で、且つ、より快適なマッサージ効果が得られると共に簡易な構成で不用意な液ダレを防止することが可能となる。
【００３０】
上記実施例においては、弾性隔壁１５０ｗが、エアゾール噴出孔１５０ａの領域に隣接する領域でアーチ状の薄肉部分を有する。この場合、簡単な構造から効率的に弾性力を得ることができる。
【００３１】
さらに、上記実施例において、弾性隔壁１５０ｗは台座１５０ｓを有し、ボール１３０との対向面にエアゾールを補給するための通路１５０ｒを構成する。この場合、中空ステム１２０から噴出させたエアゾールをボール１３０の表面にまんべんなく供給することができる。
【００３２】
また、上記実施例において、ホルダー１４０の先端付近は、丸みを帯びた形状を有する。つまり、上記実施例のホルダー１４０は、ボール１３０に対して実質的に線接触し得る形状に形成されている。この場合、ボール１３０およびホルダー１４０間からの液ダレを防止することができる。
【００３３】
図２（ａ），（ｂ）はそれぞれ、本発明の第２実施例に係るエアゾール容器の断面図であって、図２（ａ）は、エアゾール容器が対象面に接触していない状態を示し、また、図２（ｂ）は、エアゾール容器が対象面に接触している状態を示す。なお、第１実施例と同一部分は同一符号をもって、その説明を省略する。
【００３４】
図２に示す如く、第２実施例のエアゾール容器は、第１実施例の構造と基本的には同一であって、中空ステム１２０に係合し、該ボール１３０をホルダー１４１との協働下で弾性的に支持する受座１５１とを具える。この受座１５１は、その外側面に設けた外向き凸部をホルダー１４１の内側面に設けた溝部に嵌合させることによりホルダー１４１に取り付けられる。また、受座１５１は、その下端付近に設けた内向き凸部が容器本体１１０に嵌合することにより容器本体１１０に取り付けられる。
【００３５】
受座１５１は、第１実施例と同様、中空ステム１２０におけるエアゾール噴出孔１５１ａの領域を除き、中空ステム１２０をボール１３０より隔離させる弾性隔壁１５１ｗを含むものである。
【００３６】
上記実施例においては、弾性隔壁１５１ｗが、エアゾール噴出孔１５１ａの領域に隣接する領域でホルダー１４１側に偏ったアーチ状の薄肉部分を有する。この場合も、第１実施例と同様に、簡単な構造から効率的に弾性力を得ることができる。
【００３７】
さらに、上記実施例においては、第１実施例と同様に、弾性隔壁１５１ｗが台座１５１ｓを有し、ボール１３０との対向面にエアゾールを補給するための通路１５１ｒを構成する。この場合も、中空ステム１２０から噴出させたエアゾールをボール１３０の表面にまんべんなく供給することができる。
【００３８】
図３（ａ），（ｂ）はそれぞれ、本発明の第３実施例に係るエアゾール容器の断面図であって、図３（ａ）は、エアゾール容器が対象面に接触していない状態を示し、また、図３（ｂ）は、エアゾール容器が対象面に接触している状態を示す。なお、第２実施例と同一部分は同一符号をもって、その説明を省略する。
【００３９】
図３に示す如く、第３実施例のエアゾール容器は、第１，２実施例の構造と基本的には同一であって、中空ステム１２０に係合し該ボール１３０をホルダー１４１との協働下で弾性的に支持する受座１５２とを具える。この受座１５２は、第２実施例と同様の手段でホルダー１４１に取り付けられ、中空ステム１２０におけるエアゾール噴出孔１５２ａの領域を除き、中空ステム１２０をボール１３０より隔離させる弾性隔壁１５２ｗを含むものである。
【００４０】
上記実施例においては、弾性隔壁１５２ｗが、エアゾール噴出孔１５２ａの領域に隣接する領域でじゃばら状の薄肉部分を有する。この場合、大きな弾性力を効率的に得ることができる。
【００４１】
さらに、上記実施例においては、第１，２実施例と同様に、弾性隔壁１５２ｗが台座１５２ｓを有し、ボール１３０との対向面にエアゾールを補給するための通路１５２ｒを構成する。この場合も、中空ステム１２０から噴出させたエアゾールをボール１３０の表面にまんべんなく供給することができる。
【００４２】
上記第１〜３実施例では、ホルダー１４０（１４１）は、受座１５０（１５１，１５２）と別体に形成されている。この場合、受座１５０（１５１，１５２）に要求される弾性支持力を発現させるために、この受座１５０（１５１，１５２）の材料をホルダー１４０（１４１）の材料に関わりなく、より広い範囲に選択することができる。
【００４３】
図４は、本発明の第４実施例に係るエアゾール容器の断面図であって、第１〜３実施例と同一部分は同一符号をもって、その説明を省略する。
【００４４】
図４に示す如く、第４実施例のエアゾール容器は、ボール１３０の一部分を外部に露出させた状態で回転可能に保持するように容器本体１１０に取り付けられるホルダーが、中空ステム１２０に係合し該ボール１３０をホルダーとの協働下で弾性的に支持する受座１５３と一体に形成されている。この場合、更に部品点数が削減されて低コスト化を図ることができる。
【００４５】
また、受座１５３は、その下端付近に設けた内向き凸部が容器本体１１０に嵌合することにより容器本体１１０に取り付けられ、中空ステム１２０におけるエアゾール噴出孔１５３ａの領域を除き、中空ステム１２０をボール１３０より隔離させる弾性隔壁１５３ｗを含むものである。
【００４６】
上記実施例においては、第３実施例と同様に、弾性隔壁１５３ｗが、エアゾール噴出孔１５３ａの領域に隣接する領域でじゃばら状の薄肉部分を有する。この場合、大きな弾性力を効率的に得ることができる。
【００４７】
さらに、上記実施例においては、第１〜３実施例と同様に、弾性隔壁１５３ｗが台座１５３ｓを有し、ボール１３０との対向面にエアゾールを補給するための通路１５３ｒを構成する。この場合も、中空ステム１２０から噴出させたエアゾールをボール１３０の表面にまんべんなく供給することができる。
【００４８】
上述したところは、本発明の好適な実施例を示したにすぎず、当業者によれば、請求の範囲において、種々の変更を加えることができ、例えば、第１実施例にホルダー１４１を採用し、また、第２〜４実施例に丸み１４０ｐを有するホルダー１４０を採用してもよい。また、本発明は、制汗剤や育毛剤などの塗布剤が充填された容器に用いることができ、特に、液状の鎮痛消炎剤などの塗り薬が充填された容器に用いれば、そのマッサージ効果を有効に作用させることができる。
【図面の簡単な説明】
【図１】本発明の第１の実施例を示した断面図である。
【図２】（ａ），（ｂ）はそれぞれ、本発明の第２の実施例であって、エアゾール容器が対象面に接触してない状態およびエアゾール容器が対象面に接触している状態を示した断面図である。
【図３】（ａ），（ｂ）はそれぞれ、本発明の第３の実施例であって、エアゾール容器が対象面に接触してない状態およびエアゾール容器が対象面に接触している状態を示した断面図である。
【図４】本発明の第４の実施例を示した断面図である。
【図５】従来のエアゾール容器を示した断面図である。
【符号の説明】
１１０  容器本体
１２０  中空ステム
１３０  ボール
１４０  ホルダー
１５０  受座
１５０ａ  エアゾール噴出孔
１５０ｐ  支持突起
１５０ｒ  エアゾール補給通路
１５０ｓ  台座
１５０ｗ  弾性隔壁
１５０ｗf  ボール受面
１５１  受座
１５１ａ  エアゾール噴出孔
１５１ｒ  エアゾール補給通路
１５１ｓ  台座
１５１ｗ  弾性隔壁
１５１ｗf  ボール受面
１５２  受座
１５２ａ  エアゾール噴出孔
１５２ｒ  エアゾール補給通路
１５２ｓ  台座
１５２ｗ  弾性隔壁
１５２ｗf  ボール受面
１５３  受座
１５３ａ  エアゾール噴出孔
１５３ｒ  エアゾール補給通路
１５３ｓ  台座
１５３ｗ  弾性隔壁
１５３ｗf  ボール受面
【図１】
0004270704.tif 000002
【図２】
0004270704.tif 000003
【図３】
0004270704.tif 000004
【図４】
0004270704.tif 000005
【図５】
0004270704.tif 000006